(57)【要約】【課題】保護管の潰れを防止することができる、保護管の閉じ具を提供する。【解決手段】保護管２は、長手方向に山谷が連続して並んで形成された周壁２ａと、長手方向に連続して割れた割れ部２ｂを有する。閉じ具３は、保護管２の割れ部２ｂを閉じた状態に保持する。この閉じ具３は、保護管２の前記山谷によって形成される凹条部２ｇに係合する係合部３ａを備える。この係合部３ａは、保護管２の周壁２ａにおける前記割れ部２ｂ部分の対向する端部２ｆ、２ｆを、それら端部２ｆ、２ｆにおける山谷の位置を保護管２の長手方向に相対的にずらすよう、形成されている。このように、割れ部２ｂ部分の対向する端部２ｆ、２ｆが、長手方向に相対的にずれることで、一方の端部２ｆが、他方の端部２ｆの下に潜り込むのを防ぐことができる。【選択図】  図２
2004248364.tif 000002
【特許請求の範囲】
【請求項１】
長手方向に山谷が連続して並んで形成された周壁を有し内部に配線・配管材を収容する保護管の、長手方向に連続して割れた割れ部を閉じた状態に保持する閉じ具であって、
前記周壁における前記割れ部部分の対向する端部を、それら端部における前記山谷の位置を前記長手方向に相対的にずらすべく、前記保護管と係合する係合部を備えることを特徴とする、保護管の閉じ具。
【請求項２】
前記係合部は、前記周壁の山谷によって形成される凹条部に係合し、かつ、
前記係合部は、前記割れ部によって分断された一方側の前記凹条部に係合する第１係合部と、他方側の前記凹条部に係合する第２係合部とからなり、
前記第１係合部と前記第２係合部とは、前記周壁における前記割れ部部分の対向する端部を、前記長手方向に相対的にずらすように、位置がずれて形成されてなることを特徴とする、請求項１に記載の、保護管の閉じ具。
【請求項３】
前記第２係合部は、一方側の前記端部の端面に当接する第１当接部を有し、
前記第１係合部は、他方側の前記端部の端面に当接する第２当接部を有することを特徴とする、請求項２に記載の、保護管の閉じ具。
【請求項４】
前記閉じ具は、前記保護管に取り付けられるべく、前記周壁をその周方向に１８０°を越えて覆うように延設されてなることを特徴とする、請求項１ないし３のいずれか１項に記載の、保護管の閉じ具。
【請求項５】
請求項１ないし４のいずれか１項に記載の閉じ具と、前記保護管とからなる、保護管装置。
【請求項６】
前記保護管は、前記割れ部を開閉可能とすべく、ヒンジ部を備えることを特徴とする請求項５に記載の保護管装置。
【請求項７】
前記保護管は、前記割れ部が二ヵ所に設けられ、それら割れ部によって分離された、二つの独立した分割体からなることを特徴とする請求項５に記載の保護管装置。
【発明の詳細な説明】
【０００１】
【発明の属する技術分野】
この発明は、配線・配管材を収容する保護管を閉じた状態に保持する閉じ具、および保護管装置に関するものである。
【０００２】
【従来の技術】
従来、例えば、図９に示されるように、ヒンジ１１ａを介して連結されてなる半管状の二つの分割体１１ｂ、１１ｂによって構成される波付管からなる保護管１１において、その分割体１１ｂ、１１ｂの合わさる部分１１ｃの開きを防止するための閉じ具として、全体がＣ字形状をした閉じ具１２が知られていた（例えば、特許文献１参照）。この閉じ具１２は、内面に、保護管１１の谷部１１ｄに係合する突起１２ａを備えており、保護管１１の外面に取り付けることにより、その保護管１１の開きを防止するものであった。
【０００３】
【特許文献１】
実開平７−３２２９号公報
【０００４】
【発明が解決しようとする課題】
しかしながら、前記従来の閉じ具１２にあっては、保護管１１の開きを防止することはできるものの、分割体１１ｂ、１１ｂの合わさる部分１１ｃで、山谷の位置が一致していると、一方の分割体１１ｂが他方の分割体１１ｂの内側に入り込んで、保護管１１が潰れる虞があった（図１０参照）。
【０００５】
また、円筒状に形成された保護管１１の場合には、閉じ具１２が保護管１１の周方向に沿って回動してしまい、その結果、保護管１１の合わさった部分１１ｃが、簡単に開いてしまうという問題があった。
【０００６】
この発明は、上記した従来の欠点を解決するためになされたものであり、その目的とするところは、保護管の潰れを防止することができる、保護管の閉じ具、および保護管装置を提供することにある。
【０００７】
また、他の目的は、保護管の周方向に沿って回動するのを阻止して、保護管の開きを確実に防止することができる、保護管の閉じ具、および保護管装置を提供することにある。
【０００８】
【課題を解決するための手段】
この発明に係る保護管の閉じ具、および保護管装置は、前記目的を達成するために、次の構成からなる。すなわち、
請求項１に記載の発明に係る保護管の閉じ具は、長手方向に山谷が連続して並んで形成された周壁を有し内部に配線・配管材を収容する保護管の、長手方向に連続して割れた割れ部を閉じた状態に保持する閉じ具である。この閉じ具は、前記周壁における前記割れ部部分の対向する端部を、それら端部における前記山谷の位置を前記長手方向に相対的にずらすべく、前記保護管と係合する係合部を備える。
【０００９】
この保護管は、長手方向に連続して割れた割れ部を有しており、この割れ部を開くことで、配線・配管材を保護管の内部に収容することができる。そして、この保護管は、閉じ具によって、割れ部が閉じた状態に保持される。このとき、閉じ具は、保護管と係合する係合部を備えており、この係合によって、保護管の周壁における割れ部部部分の対向する端部は、それら端部における山谷の位置が長手方向に相対的にずれる。このように、割れ部部分の対向する端部が、山谷の位置が長手方向に相対的にずれることで、一方の端部が、他方の端部の下に潜り込むのを防ぐことができる。
【００１０】
また、請求項２に記載の発明に係る保護管の閉じ具のように、請求項１に記載の閉じ具において、前記係合部は、前記周壁の山谷によって形成される凹条部に係合し、かつ、前記係合部は、前記割れ部によって分断された一方側の前記凹条部に係合する第１係合部と、他方側の前記凹条部に係合する第２係合部とからなってもよい。ここで、前記第１係合部と前記第２係合部とは、前記周壁における前記割れ部部分の対向する端部を、前記長手方向に相対的にずらすように、位置がずれて形成されてなる。これにより、閉じ具の第１係合部が、保護管における割れ部によって分断された一方側の凹条部に係合し、閉じ具の第２係合部が、他方側の凹条部に係合することで、周壁における割れ部部分の対向する端部は、それら端部における山谷の位置が長手方向に相対的にずれることとなる。
【００１１】
また、請求項３に記載の発明に係る保護管の閉じ具のように、請求項２に記載の閉じ具において、前記第２係合部は、一方側の前記端部の端面に当接する第１当接部を有し、前記第１係合部は、他方側の前記端部の端面に当接する第２当接部を有してもよい。こうして、閉じ具の第１および第２係合部が、周壁における割れ部部分の対向する端部の各端面に当接することで、この閉じ具は、保護管に対して回り止めされる。
【００１２】
また、請求項４に記載の発明に係る保護管の閉じ具のように、請求項１ないし３のいずれか１項に記載の閉じ具において、前記閉じ具は、前記保護管に取り付けられるべく、前記周壁をその周方向に１８０°を越えて覆うように延設されていてもよい。こうして、閉じ具は、保護管の周壁をその周方向に１８０°を越えて覆うことで、この保護管に取り付けられ、その取付けが確実となる。
【００１３】
また、請求項５に記載の発明に係る保護管装置は、請求項１ないし４のいずれか１項に記載の閉じ具と、前記保護管とからなる。
【００１４】
また、請求項６に記載の発明に係る保護管装置のように、請求項５に記載の保護管装置において、前記保護管は、前記割れ部を開閉可能とすべく、ヒンジ部を備えてもよい。こうして、保護管は、ヒンジ部を備えることから、割れ部は、簡単に開閉される。
【００１５】
また、請求項７に記載の発明に係る保護管装置のように、請求項５に記載の保護管装置において、前記保護管は、前記割れ部が二ヵ所に設けられ、それら割れ部によって分離された、二つの独立した分割体からなってもよい。こうして、保護管は、二つの独立した分割体からなることから、割れ部は、簡単に開閉される。
【００１６】
【発明の実施の形態】
以下、この発明に係る保護管の閉じ具、および保護管装置の実施の形態を図面に基づいて説明する。
【００１７】
図１ないし図６は、本発明に係る保護管の閉じ具、および保護管装置の第一の実施の形態を示す。図中符号１は、配線・配管材であって、配線材として、例えば、送電用とか通信用等のケーブルであったり、また、配管材として、例えば、エアコン用の冷媒管等であったりする。２は、内部に前記配線・配管材１を収容して保護する保護管である。３は、前記保護管２に取り付けられる閉じ具である。４は、保護管装置であって、前記保護管２と前記閉じ具３とからなる。
【００１８】
ここで、保護管２は、例えばポリエチレン樹脂製であって、円筒形状をしている。この保護管２は、長手方向に山谷が連続して並んで形成された周壁２ａを有する、可撓性を備えたコルゲート管からなる。そして、保護管２は、長手方向に連続して割れた割れ部２ｂを有している。また、保護管２は、例えば割れ部２ｂと対向する側に、割れ部２ｂを開閉可能とすべく、ヒンジ部２ｃを備えている。こうして、保護管２は、前記ヒンジ部２ｃを介して連結される、半管状の二つの分割体２ｄ、２ｄにより構成されることとなる。詳細には、ヒンジ部２ｃは、周壁２ａの山谷における頂部２ｅ、２ｅを残して切断されることで形成されている。そして、このように、保護管２は、ヒンジ部２ｃによって、前記割れ部２ｂが、開閉可能となり、この割れ部２ｂから、配線・配管材１が出し入れされる。しかも、保護管２は、このヒンジ部２ｃを備えることから、割れ部２ｂが、簡単に開閉される。
【００１９】
閉じ具３は、前記保護管２の割れ部２ｂを閉じた状態に保持するものである。この閉じ具３は、保護管２の周壁２ａにおける前記割れ部２ｂ部分の対向する端部２ｆ、２ｆを、それら端部２ｆ、２ｆにおける前記山谷の位置を保護管２の長手方向に相対的にずらすべく（言い換えれば、それら端部２ｆ、２ｆにおける前記山谷の位相が異なるように、保護管２の長手方向に相対的にずらすべく）、その保護管２と係合する係合部３ａを備えている。
【００２０】
詳細には、係合部３ａは、前記保護管２における周壁２ａの山谷によって形成される凹条部２ｇに係合する。そして、この係合部３ａは、割れ部２ｂによって分断された一方側の凹条部２ｇに係合する第１係合部３ｂと、他方側の凹条部２ｇに係合する第２係合部３ｃとからなる。ここにおいて、第１係合部３ｂと第２係合部３ｃとは、保護管２の周壁２ａにおける割れ部２ｂ部分の対向する端部２ｆ、２ｆを、保護管２の長手方向に相対的にずらすように、位置がずれて形成されている。また、第２係合部３ｃは、一方側の前記端部２ｆの端面２ｈに当接する第１当接部３ｄを有する。同様にして、第１係合部３ｂは、他方側の前記端部２ｆの端面２ｈに当接する第２当接部３ｅを有する。
【００２１】
より詳細には、閉じ具３は、例えばポリ塩化ビニール等の合成樹脂製等、弾性変形可能な材料からなる。そして、閉じ具３は、保護管２に取り付けられるべく、保護管２の周壁２ａをその周方向に１８０°を越えて（図示実施の形態においては、約２４０°の範囲で）覆うように延設されている。すなわち、閉じ具３は、略Ｃ字形状をしている。そして、閉じ具３は、両端部分が、保護管２の径を越えるように弾性的に開くことで、保護管２に取付け可能となっている。
【００２２】
具体的には、閉じ具３は、帯状の円弧形状に形成された、本体部３ｆと、その本体部３ｆの内側から突出する前記係合部３ａ（図示実施の形態においては、二本の係合部３ａ、３ａ）とからなる。この係合部３ａ（第１係合部３ｂ、第２係合部３ｃ）は、前記凹条部２ｇに、その凹条部２ｇに沿って係合するように、周壁２ａの周方向に延設されて形成されている。そして、係合部３ａは、その延設されたほぼ中央部分で、前記第１係合部３ｂと前記第２係合部３ｃとに分かれ、そして、第１係合部３ｂと第２係合部３ｃとが、保護管２の長手方向に相対的にずれることで表われる端面が、第１係合部３ｂ側の前記第２当接部３ｅとなり、そして、第２係合部３ｃ側の前記第１当接部３ｄとなっている。なお、図中符号３ｇは、閉じ具３（本体部３ｆ）の外周面に形成された肉抜き用の溝である。
【００２３】
次に、以上の構成からなる閉じ具３、および、この閉じ具３と保護管２とからなる保護管装置４の作用効果について説明する。保護管２は、長手方向に連続して割れた割れ部２ｂを有しており、この割れ部２ｂを開くことで、配線・配管材１を保護管２の内部に収容することができる。そして、保護管２は、閉じ具３によって、割れ部２ｂが閉じた状態に保持される。このとき、閉じ具３は、保護管２と係合する係合部３ａ（具体的には、保護管２の凹条部２ｇに係合する係合部３ａ）を備えており、この係合によって、保護管２の周壁２ａにおける割れ部２ｂ部部分の対向する端部２ｆ、２ｆは、それら端部２ｆ、２ｆにおける山谷の位置が保護管２の長手方向に相対的にずれる。すなわち、閉じ具３の第１係合部３ｂが、保護管２における割れ部２ｂによって分断された一方側の凹条部２ｇに係合し、閉じ具３の第２係合部３ｃが、他方側の凹条部２ｇに係合することで、周壁２ａにおける割れ部２ｂ部分の対向する端部２ｆ、２ｆは、それら端部２ｆ、２ｆにおける山谷の位置が保護管２の長手方向に相対的にずれることとなる。そして、このように、割れ部２ｂ部分の対向する端部２ｆ、２ｆが、山谷の位置が保護管２の長手方向に相対的にずれることで、一方の端部２ｆが、他方の端部２ｆの下に潜り込むのを防ぐことができ、これにより、保護管２の潰れを防止することができる。もっとも、この山谷の位置のずれは、この保護管２の周壁２ａの肉厚よりも小さいのが望ましい。すなわち、このように、このずれを周壁２ａの肉厚よりも小さくすることで、端部２ｆ、２ｆがずれたことにより周壁２ａの端面２ｈ、２ｈの内側に孔が開くのを防止することができる。
【００２４】
また、このとき、閉じ具３の第１および第２の係合部３ｂ、３ｃが、保護管２の周壁２ａにおける割れ部２ｂ部分の対向する端部２ｆ、２ｆの各端面２ｈ、２ｈに当接することで、この閉じ具３は、保護管２に対して回り止めされる。したがって、この閉じ具３が、保護管２の周方向に沿って回動するのを阻止することができ、このことから、閉じ具３を、保護管２の所定の位置に保つことができる。そして、このように、閉じ具３が、保護管２の所定の位置に保たれることから、保護管２の開きを確実に防止することができる。
【００２５】
また、閉じ具３は、保護管２の周壁２ａをその周方向に１８０°を越えて覆うことで、この保護管２に取り付けられるというように、その取付けが確実に行なわれる。
【００２６】
図７および図８は、本発明に係る保護管の閉じ具、および保護管装置の第二の実施の形態を示す。この実施の形態においては、保護管２の割れ部２ｂが二ヵ所に設けられ、そして、それに対応して、閉じ具３の形状が異なるが、他はほぼ同様であり、以下に、異なる部分を主に説明する。
【００２７】
保護管２は、長手方向に山谷が連続して並んで形成された周壁２ａを有するが、この山谷における頂部２ｅ、２ｅを連ねた形状は、略四角筒形状をしており、また、山谷における底部２ｉ、２ｉを連ねた形状は、円筒形状をしている。そして、保護管２は、前述のように、保護管２の長手方向に連続して割れた割れ部２ｂが、二ヵ所に設けられ、こうして、保護管２は、それら割れ部２ｂ、２ｂによって分離された、二つの独立した分割体Ｈ、Ｈからなっている。そして、このように、保護管２は、二つの独立した分割体Ｈ、Ｈに分離されることで、その分離した割れ部２ｂ、２ｂから、配線・配管材が出し入れされる。
【００２８】
一方、閉じ具３は、第一の実施の形態に示す本体部３ｆに相当する部分は無く、保護管２の周壁２ａの山谷によって形成される凹条部２ｇに係合する、係合部３ａ（第１係合部３ｂ、第２係合部３ｃ）のみによって形成されている。具体的には、閉じ具３は、その外周が、保護管２の周壁２ａの山谷における頂部２ｅとほぼ面一となって、略コの字形状をし、そして、その内周が、前記山谷における底部２ｉとほぼ一致して、略Ｃ字形状をしている。こうして、閉じ具３は、保護管２の周壁２ａをその周方向に１８０°を超えて覆うように延設され、そして、保護管２の周壁２ａの山谷によって形成される凹条部２ｇに、ちょうど嵌る形状となっている。そして、閉じ具３（係合部３ａ）の中間部分が、前記第１係合部３ｂとなり、閉じ具３（係合部３ａ）の各先端部分が、前記第２係合部３ｃとなっている。すなわち、第１係合部３ｂが、保護管２における一方の分割体Ｈの凹条部２ｇ全長に渡って係合し、第２係合部３ｃが、他方の分割体Ｈの、端部２ｆ部分における凹条部２ｇのみに係合している。こうして、第１係合部３ｂは、割れ部２ｂによって分断された一方側の凹条部２ｇに係合し、第２係合部３ｃは、他方側の凹条部２ｇに係合することとなる。そして、第１係合部３ｂと第２係合部３ｃとは、保護管２の周壁２ａにおける割れ部２ｂ部分の対向する端部２ｆ、２ｆを（図示実施の形態においては、一方の分割体Ｈと他方の分割体Ｈとを）、それら端部２ｆ、２ｆにおける前記山谷の位置を保護管２の長手方向に相対的にずらすよう、位置がずれて形成されている。そして、第一の実施の形態と同様に、第２係合部３ｃは、一方側の端部２ｆの端面２ｈに当接する第１当接部３ｄを有し、そして、第１係合部３ｂは、他方側の端部２ｆの端面２ｈに当接する第２当接部３ｅを有している。
【００２９】
この第二の実施の形態に示す、閉じ具３および保護管装置４の作用効果は、第一の実施の形態と同様であるが、特に、保護管２は、二つの独立した分割体Ｈ、Ｈからなることから、割れ部２ｂ、２ｂが、より簡単に開閉される。そして、保護管２は、その外形形状が、略四角筒形状をしており、配置面に、安定よく配置される。
【００３０】
なお、本発明は、上述した実施の形態に限定されるわけではなく、その他種々の変更が可能である。例えば、第一の実施の形態において、保護管２は、ヒンジ部２ｃが、周壁２ａの周方向の一ヶ所に設けられているが、二ヶ所等、複数ヶ所に設けられてもよい。
【００３１】
また、第一の実施の形態において、閉じ具３における、係合部３ａを構成する第１係合部３ｂや第２係合部３ｃは、周壁２ａの周方向に延設されて形成されなくとも、分断されて形成される等、その他の形状に形成されていてもよい。
【００３２】
また、第一の実施の形態において、閉じ具３は、本体部３ｆを備えているが、この本体部３ｆを備えることなく、係合部３ａのみによって形成されてもよい。反対に、第二の実施の形態において、閉じ具３は、係合部３ａのみによって形成されなくとも、第一の実施の形態と同様に、本体部３ｆを備えることで、係合部３ａが本体部３ｆから突出するように形成されてもよい。
【００３３】
また、第一あるいは第二の実施の形態において、閉じ具３は、第１および第２の当接部３ｄ、３ｅを備えているが、この当接部３ｄ、３ｅは、無くともよい。
【００３４】
また、第一の実施の形態においては、保護管２は、ヒンジ部２ｃによって、割れ部２ｂが開閉可能となり、また、第二の実施の形態においては、保護管２は、独立した分割体Ｈ、Ｈからなることで、割れ部２ｂ、２ｂが開閉可能となるが、これらの構成を採ることなく、割れ部２ｂが開閉可能となるように、保護管２が柔軟性を備えているのであれば、これらの構成は必ずしも必要ではない。
【００３５】
また、保護管２における周壁２ａの山谷は、リング状に形成されていてもよく、勿論、螺旋状に形成されていてもよい。
【００３６】
【発明の効果】
以上、詳述したところから明らかなように、この発明に係る保護管の閉じ具、および保護管装置によれば、次の効果がある。
【００３７】
請求項１に記載された保護管の閉じ具、および、請求項５ないし７に記載された保護管装置によれば、保護管における割れ部部分の対向する端部が、山谷の位置が長手方向に相対的にずれることで、一方の端部が、他方の端部の下に潜り込むのを防ぐことができ、保護管の潰れを防止することができる。
【００３８】
また、請求項２に記載された保護管の閉じ具によれば、請求項１の効果に加えて、保護管の凹条部に係合する、第１係合部および第２係合部により、保護管の周壁における割れ部部分の対向する端部を、長手方向に相対的にずらすことができる。
【００３９】
また、請求項３に記載された保護管の閉じ具によれば、請求項２の効果に加えて、閉じ具の第１および第２の係合部が、周壁における割れ部部分の対向する端部の各端面に当接することで、この閉じ具は、保護管に対して回り止めされるので、この閉じ具が、保護管の周方向に沿って回動するのを阻止することができる。そして、このことから、閉じ具を、保護管の所定の位置に保つことができ、保護管の開きを確実に防止することができる。
【００４０】
また、請求項４に記載された保護管の閉じ具によれば、請求項１ないし３のいずれか１項の効果に加えて、閉じ具が、保護管の周壁をその周方向に１８０°を越えて覆うことで、保護管への閉じ具の取付けを確実に行なうことができる。
【図面の簡単な説明】
【図１】この発明に係る保護管の閉じ具、および保護管装置の第一の実施の形態の、断面図である。
【図２】同じく、図１における、閉じ具の一部を破断したＡ矢視図である。
【図３】同じく、保護管の斜視図である。
【図４】同じく、保護管の開いた状態を示す断面図である。
【図５】同じく、閉じ具の正面図である。
【図６】同じく、図５におけるＢ−Ｂ線による断面図である。
【図７】この発明に係る保護管の閉じ具、および保護管装置の第二の実施の形態の、分解斜視図である。
【図８】同じく、組んだ状態を示す斜視図である。
【図９】従来の閉じ具および保護管の、正面図である。
【図１０】同じく、分割体の合わさる部分で一方の分割体が他方の分割体の内側に入り込んだ状態を示す正面図である。
【符号の説明】
１  配線・配管材                  ２  保護管
２ａ  周壁                        ２ｂ  割れ部
２ｃ  ヒンジ部                    ２ｆ  端部
２ｇ  凹条部                      ２ｈ  端面
３  閉じ具                        ３ａ  係合部
３ｂ  第１係合部                  ３ｃ  第２係合部
３ｄ  第１当接部                  ３ｅ  第２当接部
４  保護管装置
Ｈ  分割体
【図１】
2004248364.tif 000003
【図２】
2004248364.tif 000004
【図３】
2004248364.tif 000005
【図４】
2004248364.tif 000006
【図５】
2004248364.tif 000007
【図６】
2004248364.tif 000008
【図７】
2004248364.tif 000009
【図８】
2004248364.tif 000010
【図９】
2004248364.tif 000011
【図１０】
2004248364.tif 000012